(57)【要約】【課題】組立時の部品の損傷を防止すると共に設計の自由度を高める電子機器を提供する。【解決手段】円筒形状の回転ダイヤル６を有するベースユニット２０Ａを収納するフロントカバー１０の境界線Ｂが円筒形状の円の中心Ｃからずれており、フロントカバー１０は一対の案内部１５ａ、１５ｂを有し、円の直径Ｄはフロントカバーの収納部１２の開口部１３の幅Ｄ１よりも大きく、ベースユニットは、円筒面の少なくとも一部を有する案内部２８Ａを更に有し、円筒面の外径Ｄ３は一対の案内部の幅Ｄ２よりも大きい。組立時に案内部同士が接触して幅Ｄ２が広がることにより幅Ｄ１が直径Ｄよりも広がる。【選択図】図１
2010060782.tif 000002
【特許請求の範囲】
【請求項１】
円筒形状の操作部材を有するベースユニットと、
前記ベースユニットの少なくとも一部を覆うカバーとを有し、
前記カバーには、前記操作部材の周囲を半周以上覆うことで前記操作部材を収納する収納部と、前記収納部の開口部から延出形成される一対の第１案内部が形成され、
前記ベースユニットには、前記ベースユニットに前記カバーを組み付ける際に、前記第１案内部と接触する第２案内部が前記操作部材の外側に形成され、
前記ベースユニットに前記カバーを組み付ける際に、前記一対の第１案内部が前記第２案内部に接触して前記カバーが弾性変形して、前記開口部の端が前記第２案内部に接触しないように、前記第２案内部の外径および前記一対の第１案内部の幅を設定することを特徴とする電子機器。
【請求項２】
前記ベースユニットを前記筐体に収納した後は、前記第１案内部が外部に露出しないように前記第１案内部は前記一対のカバーの一方の表面よりも内側に配置されることを特徴とする請求項１に記載の電子機器。
【請求項３】
前記第２案内部は、前記操作部材の周囲を半周以上覆うリブ形状を有することを特徴とする請求項１に記載の電子機器。
【発明の詳細な説明】
【技術分野】
【０００１】
本発明は、電子機器に関する。
【背景技術】
【０００２】
デジタルカメラには、操作メニューを選択するための回転ダイヤルが設けられている。デジタルカメラは、回転ダイヤルを含む内装部品にフロントカバーとリアカバーを組み付けることによって組み立てられるが、従来は、組み付け時の部品の損傷を防止するためにフロントカバーとリアカバーの境界線上に回転ダイヤルの中心を配置していた。
【０００３】
例えば、図７（ａ）に示すように、フロントカバー３０とリアカバー３５の境界線Ｂ上に回転ダイヤル６の中心Ｃがなく、中心Ｃがフロントカバー３０側にずれている場合を考える。Ｃ１は中心Ｃを通り、境界線Ｂに平行な直線であり、直線Ｃ１と境界線Ｂは一致していない。この場合、図７（ｂ）に示すように、回転ダイヤル６を収納するフロントカバー３０の収納部３１の開口部３２の幅Ｄ１は回転ダイヤル６の直径Ｄよりも小さい。従って、回転ダイヤル６を収納部３１内に収めるときに開口部３２と回転ダイヤル６の外縁３９が擦れて両者の一方又は両方が傷つく。一方、境界線Ｂ上に回転ダイヤル６の中心Ｃを配置すれば開口部３２の幅Ｄ１はＤと等しいか若干大きくなるために、この問題を解決することができる。
【０００４】
従来技術としては、特許文献１がある。
【特許文献１】特開２００６−９８７７３号公報
【発明の開示】
【発明が解決しようとする課題】
【０００５】
しかし、常にフロントカバー３０とリアカバー３５の境界線Ｂ上に回転ダイヤル６の中心Ｃを常に配置することは、電子機器全体の設計の自由度が低下し、小型化も実現できない場合がある。
【０００６】
そこで、本発明は、組立時の部品の損傷を防止すると共に設計の自由度を高める電子機器を提供することを例示的な目的とする。
【課題を解決するための手段】
【０００７】
本発明の一側面としての電子機器は、円筒形状の操作部材を有するベースユニットと、前記ベースユニットの少なくとも一部を覆うカバーとを有し、前記カバーには、前記操作部材の周囲を半周以上覆うことで前記操作部材を収納する収納部と、前記収納部の開口部から延出形成される一対の第１案内部が形成され、前記ベースユニットには、前記ベースユニットに前記カバーを組み付ける際に、前記第１案内部と接触する第２案内部が前記操作部材の外側に形成され、前記ベースユニットに前記カバーを組み付ける際に、前記一対の第１案内部が前記第２案内部に接触して前記カバーが弾性変形して、前記開口部の端が前記第２案内部に接触しないように、前記第２案内部の外径および前記一対の第１案内部の幅を設定することを特徴とする。
【発明の効果】
【０００８】
本発明によれば、組立時の部品の損傷を防止すると共に設計の自由度を高める電子機器を提供することができる。
【発明を実施するための最良の形態】
【０００９】
以下、添付図面を参照して、本発明の実施例の電子機器であるデジタルカメラ（撮像装置）について説明する。
【実施例１】
【００１０】
図１は、実施例１のデジタルカメラの部分分解斜視図である。図２は、実施例１のデジタルカメラの外観斜視図である。
【００１１】
１はカメラ本体であり、この内部には撮影を可能とする各種の部材が配置されている。２は撮影者がカメラ本体１を保持するためのグリップ部である。３はレンズ鏡筒であり、光軸方向に繰り出したり繰り込んだりすることにより、撮影光学系の焦点距離を変更する。 ４はレンズ鏡筒３の撮像画角（撮影光学系の焦点距離）を変更するために操作されるズームレバーであり、円筒状に形成されており、カメラ本体１に組み込まれる。ズームレバー４は、軸を中心に正逆方向に所定量、回転可能となっている。
【００１２】
５は２段階の押圧操作が可能なレリーズボタンであり、半押操作により撮影準備動作（測光動作や焦点調節動作等）が開始され、全押し操作により撮影動作（ＣＣＤ等の撮像素子への露光）が開始される。 ６はシャッタスピード優先モード、絞り優先モード、ポートレート撮影モード、夜景撮影モードなど様々な撮影モードを選択する回転ダイヤル（モードダイヤル）であり、回転軸を中心に回転可能となっている。回転ダイヤル６は、円筒形状の操作部材（又は入力部材）である。７は、デジタルカメラの電源をオン又はオフする電源ボタンである。９はカメラ本体１のリアカバーである。
【００１３】
１０はカメラ本体１のフロントカバーである。フロントカバー１０とリアカバー９はカメラ本体１の筐体を構成する。このように、カメラ本体１の筐体は一対のカバーを含み、本実施例では、一対のカバーの分割線は境界線Ｂである。図２に示すように、フロントカバー１０とリアカバー９の境界線Ｂ上に回転ダイヤル６の中心Ｃはなく、中心Ｃはフロントカバー１０側にずれている。このため、境界線Ｂ上に回転ダイヤル６の中心Ｃを常に一致させるよりも設計の自由度は増加している。しかし、図１に示すように、回転ダイヤル６を収納するフロントカバー１０の収納部１２の開口部１３の幅Ｄ１は回転ダイヤル６の直径Ｄよりも小さい。収納部１２は、回転ダイヤル６の周囲を半周以上覆うことで、回転ダイヤル６を収納するための円筒形状の穴であり、円筒形状を上から見た場合は円弧形状の輪郭１２ａを有し、輪郭１２ａの中心角は１８０度よりも大きい。従って、回転ダイヤル６を収納部１２にそのまま収めようとすると、開口部１３と回転ダイヤル６の外縁６ａが擦れて両者の一方又は双方が傷つく。
【００１４】
そこで、本実施例は、一対の案内部（第１案内部）１５ａ及び１５ｂをフロントカバー１０の境界線Ｂを形成する縁部１０ａの開口部１３に隣接した位置から延出形成している。案内部１５ａ及び１５ｂは、ベースユニット２０Ａに形成されている案内部２８Ａに接触して案内される。案内部１５ａ及び１５ｂは、フロントカバー１０の表面（上面）１１よりも低い位置（内側）に配置され、図２に示すように、デジタルカメラが組み立てられた後は外部に露出しない。案内部１５ａ及び１５ｂは、同一形状を有し、本実施例では四角柱形状を有するが、その形状は特に限定されない。本実施例では、案内部１５ａ及び１５ｂは樹脂成形によって形成される。フロントカバー１０は、後述するときに、案内部１５ａ及び１５ｂの幅が広がり、それによって、収納部１２の開口部１３の幅Ｄ１が回転ダイヤル６の直径Ｄよりも若干大きな長さまで広がることができ、その範囲内では弾性変形が可能である。この変形はさほど大きくないので従来のフロントカバー１０を構成する材料を適用することができる。
【００１５】
２０Ａは、回転ダイヤル６などを組付けるベースユニットであり、カメラ本体１の筐体に収納される。図３は、ベースユニット２０Ａの拡大斜視図である。ベースユニット２０Ａは、回転ダイヤル６、板金２１、フレキシブル基板２２、レリーズスイッチ２３、ズームスイッチ２４、電源スイッチ２５、スピーカー２６、回転ダイヤルベース２７を有する。
【００１６】
レリーズスイッチ２３、電源スイッチ２５は押圧式のスイッチであり、ズームスイッチ２４は２方向検知型スイッチである。レリーズスイッチ２３、電源スイッチ２５はそれぞれフレキシブル基板２２の表面に実装される。フレキシブル基板２２の一端２２ａは、カメラ本体１内に設けられた不図示の制御部に接続されている。回転ダイヤル６が回転操作されて選択した機能はフレキシブル基板２２から制御部に送信される。ズームレバー４の回転中心の真下にレリーズスイッチ２３が配置され、レリーズボタン５の押圧操作によりボタン足がレリーズスイッチ２３に当接する。 レリーズスイッチ２３はフレキシブル基板２２を折り曲げることによってズームスイッチ２４より１段低い位置に配置されている。これにより、レリーズボタン５がレリーズスイッチ２３と干渉せず、ベースユニット２０Ａをフロントカバー１０に水平方向に組み付けることができる。
【００１７】
回転ダイヤルベース２７には、案内部（第２案内部）２８Ａが樹脂成型によって形成されている。案内部２８Ａは、回転ダイヤル６のフロントカバー１０側に配置され、回転ダイヤル６と同心円に形成されている。案内部２８Ａは、上から見ると円弧形状を有し、中心角は１８０度である。但し、案内部２８Ａは、回転ダイヤル６の円筒形状と同心円の円筒面の少なくとも一部を有すれば足りる。本実施例では、案内部２８Ａは、断面がＬ字のリブ形状を有し、図３に示すように、上から見ると円弧形状の水平部２９ａと上から見ると円弧形状の垂直部２９ｂを有する。垂直部２９ｂが主に案内部１５ａ及び１５ｂと接触してこれを外側に広げるように案内する案内部として機能し、上述した円筒面の一部を有する。
【００１８】
以下、図４を参照して、フロントカバー１０の収納部１２の輪郭１２ａと回転ダイヤル６の組立後の関係を説明する。ここで、図４は図１の上面図である。輪郭１２ａは上から見ると円弧形状を有し、輪郭１２ａと回転ダイヤル６との間には、組立後に回転ダイヤル６がフロントカバー１０に対して回転できるような一定の隙間が設けられている。ベースユニット２０Ａは不図示の本体に組み込まれている。収納部１２の輪郭１２ａの円弧の中心１２ｂはフロントカバー１０の境界線Ｂからフロントカバー１０側にずれており、輪郭１２ａの中心角は１８０度以上であり、幅Ｄ１は回転ダイヤル６の直径Ｄよりも小さく設定される。図２のようにデジタルカメラが組み立てられた後は、中心１２ｂは中心Ｃと一致する。従って、回転ダイヤル６を収納部１２にそのまま収めようとすると、開口部１３と回転ダイヤル６の外縁６ａが接触して擦れる。１２ｃは中心１２ｂを通り、境界線Ｂに平行な直線であり、直線１２ｃと境界線Ｂは一致していない。また、フロントカバー１０の案内部１５ａ及び１５ｂの間隔Ｄ２は案内部２８Ａの外径Ｄ３（水平部２９ａの内径又は垂直部２９ｂの外径）よりも小さく設定される。
【００１９】
この状態でフロントカバー１０を矢印Ａ方向に沿ってベースユニット２０Ａに組み付ける。Ａ方向は境界線Ｂに直交する方向である。この過程で、フロントカバー１０の案内部１５ａ、１５ｂは案内部２８Ａ（主として垂直部２９ｂ）に接触し、案内される。案内部１５ａと１５ｂの間隔Ｄ２は案内部２８Ａの外径Ｄ３よりも小さい。このため、図５に示すように、案内部１５ａ、１５ｂが案内部２８Ａに接触した後はそれぞれＥａ方向、Ｅｂ方向に広がって両者の間隔Ｄ２は大きくなり、それによって、開口部１３の寸法Ｄ１が広がる。その後、開口部１３の幅Ｄ１が回転ダイヤル６の直径Ｄより大きくなり、開口部１３と回転ダイヤル６との干渉は発生せず、回転ダイヤル６は収納部１２の開口部１３に接触せずに収納部１２に収納される。この結果、輪郭１２ａと回転ダイヤル６の両方が損傷せずにフロントカバー１０をベースユニット２０Ａに取り付けることができる。回転ダイヤル６が収納部１２に収納された後は一対の案内部１５ａ及び１５ｂの幅Ｄ２と収納部１２の開口部１３の幅Ｄ１はそれぞれ元の幅に戻る。また、案内部１５ａ、１５ｂ、２８Ａは組み立て後にカメラ本体１の外部に露出しないので、組立時に傷がついても問題はない。
【実施例２】
【００２０】
以下、実施例２について説明する。本実施例は、案内部２８Ａの代わりに案内部２８Ｂを有する点で実施例１と異なり、その他の点で実施例１と同様であり、相違点のみについて説明する。図６に示すように、回転ダイヤル６は、案内部１５ａ、１５ｂを案内する案内部２８Ｂを有する。実施例１と同様に、案内部１５ａ及び１５ｂの間隔Ｄ２及び開口部１３の幅Ｄ１は、回転ダイヤル６の直径Ｄよりも小さく設定される。案内部１５ａ及び１５ｂの間隔Ｄ２は回転ダイヤル６の案内部２８Ｂの外径Ｄ３よりも小さく設定される。このため、図５で説明したように、フロントカバー１０をベースユニット２０Ｂに組み付けると案内部１５ａ、１５ｂが案内部２８Ｂに接触した後は案内部１５ａ及び１５ｂの間隔Ｄ２が大きくなり、開口部１３の寸法Ｄ１が広がる。その後、開口部１３の幅Ｄ１が回転ダイヤル６の直径Ｄより大きくなり、開口部１３と回転ダイヤル６との干渉は発生せず、回転ダイヤル６は収納部１２の開口部１３に接触せずに収納部１２に収納される。この結果、輪郭１２ａと回転ダイヤル６の両方が損傷せずにフロントカバー１０をベースユニット２０Ｂに取り付けることができる。回転ダイヤル６が収納部１２に収納された後は一対の案内部１５ａ及び１５ｂの幅Ｄ２と収納部１２の開口部１３の幅Ｄ１はそれぞれ元の幅に戻る。また、案内部１５ａ、１５ｂ、２８Ｂは組み立て後にカメラ本体１の外部に露出しないので、組立時に傷がついても問題はない。
【００２１】
上述した実施例によれば、案内部１５ａと１５ｂを案内部２８Ａ、２８Ｂによって広げることによって収納部１２の開口部１３を広げ、開口部１３と開口ダイヤル１２の両方を損傷せずにフロントカバー１０を回転ダイヤル６組み付けることができる。これにより、回転ダイヤル６の組立性が向上し、回転ダイヤル６とフロントカバー１０の傷つきを防止することができる。
【図面の簡単な説明】
【００２２】
【図１】実施例１のデジタルカメラの部分分解斜視図である。
【図２】実施例１のデジタルカメラの外観斜視図である。
【図３】図１に示すベースユニットの拡大斜視図である。
【図４】図１の上面図である。
【図５】図４に示す組み立て動作を説明するための拡大平面図である。
【図６】実施例２のベースユニットの拡大斜視図である。
【図７】従来の問題点を説明するための部分平面図である。
【符号の説明】
【００２３】
１                カメラ本体
６                モードダイヤル（回転ダイヤル）
９                リアカバー
１０              フロントカバー
１２              収納部
１３              開口部
１５ａ、１５ｂ    案内部
２０Ａ、２０Ｂ    ベースユニット
２８Ａ、２８Ｂ    案内部
【図１】
2010060782.tif 000003
【図２】
2010060782.tif 000004
【図３】
2010060782.tif 000005
【図４】
2010060782.tif 000006
【図５】
2010060782.tif 000007
【図６】
2010060782.tif 000008
【図７】
2010060782.tif 000009